(57)【要約】【課題】既存の設備を利用して、簡便に火災報知システムを構築する。【解決手段】集合住宅の所定階超の住戸に設けられ、火災を感知すると火災信号を送信する火災感知器２００と、所定階超の階に設けられ、警報信号に基づいて警報を行うスピーカ３００と、火災感知器２００及びスピーカ３００と接続し、火災信号に基づいて警報手段に警報信号を送信する火災受信機４００と、ドアホン１０と接続されて設置される住宅情報盤２０を各住戸に設置したインターホンシステム１００と、所定階以下の住戸に設けられ、火災を検出すると連動制御信号を送信して警報を行い、連動制御信号の受信に基づく警報を行う火災警報器４０と、火災警報器４０からの連動制御信号を受信すると、接続された移報信号線Ｌ４に移報信号を出力する移報出力部５７を有する中継器５０とを備え、所定階以下の住戸の住宅情報盤２０は移報信号に基づいて警報を行うものである。【選択図】図１
2011198043.tif 000002
【特許請求の範囲】
【請求項１】
集合住宅の所定階超の住戸に設けられ、火災を感知すると火災信号を送信する火災感知器と、
前記所定階超の階に設けられ、警報信号に基づいて警報を行う警報手段と、
前記火災感知器及び前記警報手段と通信接続し、前記火災信号に基づいて前記警報手段に前記警報信号を送信する火災受信機と、
ドアホンと接続されて設置される住宅情報盤を各住戸に設置したインターホンシステムと、
前記所定階以下の住戸に設けられ、火災を検出すると連動制御信号を送信して警報を行い、また連動制御信号の受信に基づく警報を行う火災警報器と、
該火災警報器からの連動制御信号を受信すると、接続された移報信号線に移報信号を出力する移報出力部を有する火災警報用中継器と
を備え、前記所定階以下の住戸の前記住宅情報盤は、移報信号線を介して入力される前記移報信号に基づいて警報を行うことを特徴とする火災報知システム。
【請求項２】
前記住宅情報盤は、移報信号を出力する移報出力部を有し、
住宅情報盤と通信接続され、住宅情報盤の移報出力部からの移報信号に基づいて移報状態を表示する集中表示器をさらに備えることを特徴とする請求項１記載の火災報知システム。
【請求項３】
前記火災受信機は、前記火災信号に基づいて移報出力信号を出力する移報出力部を有し、
前記集中表示器は、前記火災受信機からの移報出力信号に基づいて移報状態を表示することを特徴とする請求項２記載の火災報知システム。
【請求項４】
前記ドアホンは、前記住宅情報盤から送信される通話信号に基づいて、前記警報に係る音を発生させることを特徴とする請求項１〜３のいずれかに記載の火災報知システム。
【請求項５】
前記火災受信機は、前記火災信号に基づいて移報出力信号を出力する移報出力部を有し、
前記火災受信機からの移報出力信号及び前記住宅情報盤の受信に係る移報信号に基づいて火災状態の管理を行う管理手段をさらに備えることを特徴とする請求項１〜４のいずれかに記載の火災報知システム。
【発明の詳細な説明】
【技術分野】
【０００１】
この発明は、集合住宅において火災に係る警報（報知）を行うための火災報知システムに関する。
【背景技術】
【０００２】
例えば、築年数がだいぶ経過している集合住宅（共同住宅）においては、各住戸に個別のインターホンが設けられていることが多い（例えば、特許文献１参照）。つまり、玄関先に設置されるドアホンと、住戸内に設置された住宅情報盤とを接続して、各住戸はインターホン通話を可能としている。そして、住宅情報盤には、例えば、コールボタンなどが有線接続される移報入力部と、移報入力部に移報信号が入力したときに移報表示する表示部とを有し、居住者によるコールボタンのオンによって、住宅情報盤は、移報入力部に移報入力がなされて、移報状態を表示することもできる。
【０００３】
さらに、各住戸の移報状態を集中管理するために、各住宅情報盤と個別に接続されて、各住戸の移報信号を入力して表示する集中表示器を管理室に設置したインターホンシステムが設けられていることも多い。
【先行技術文献】
【特許文献】
【０００４】
【特許文献１】特開２００６−２８７３３２号公報
【発明の概要】
【発明が解決しようとする課題】
【０００５】
上記のような集合住宅においては、「共同住宅等に係る消防用設備等の技術上の基準の特例について（昭和５０年５月１日付け消防安第４９号）」（以下、４９号通知という）の適用を受けた集合住宅があり、すべての住戸に自動火災報知設備が十分に整っていないケースがある。ここで、４９号通知とは、一定の建築構造上の条件を満たしている共同住宅については、１０階以下（１１階未満）の階の住戸室内における自動火災報知設備の設置が免除されるというものである。このような建物で一般の自動火災報知設備を設置するには、新たな機器の設置とともに、大掛かりな配線工事などが必要になり、居住者が実際に生活をしている場合には大きな制約を受けることになる。また、単独あるいは無線で連動する火災警報器を設置すれば大掛かりな工事は必要ないが、異常が発生したときの集中管理という点では自動火災報知設備には劣る。
【０００６】
そこで、本発明は、既存の設備を利用して、簡便に火災報知システムを構築することを目的とする。
【課題を解決するための手段】
【０００７】
この発明は、集合住宅の所定階超の住戸に設けられ、火災を感知すると火災信号を送信する火災感知器と、所定階超の階に設けられ、警報信号に基づいて警報を行う警報手段と、火災感知器及び警報手段と通信接続し、火災信号に基づいて警報手段に警報信号を送信する火災受信機と、ドアホンと接続されて設置される住宅情報盤を各住戸に設置したインターホンシステムと、所定階以下の住戸に設けられ、火災を検出すると連動制御信号を送信して警報を行い、また連動制御信号の受信に基づく警報を行う火災警報器と、火災警報器からの連動制御信号を受信すると、接続された移報信号線に移報信号を出力する移報出力部を有する火災警報用中継器とを備え、所定階以下の住戸の住宅情報盤は、移報信号線を介して入力される移報信号に基づいて警報を行うものである。
【０００８】
住宅情報盤は、移報信号を出力する移報出力部を有し、住宅情報盤と通信接続され、住宅情報盤の移報出力部からの移報信号に基づいて移報状態を表示する集中表示器をさらに備える。
【０００９】
火災受信機は、火災信号に基づいて移報出力信号を出力する移報出力部を有し、集中表示器は、火災受信機からの移報出力信号に基づいて移報状態を表示する。
【００１０】
ドアホンは、住宅情報盤から送信される通話信号に基づいて、警報に係る音を発生させる。
【００１１】
また、火災受信機は、火災信号に基づいて移報出力信号を出力する移報出力部を有し、火災受信機からの移報出力信号及び住宅情報盤の受信に係る移報信号に基づいて火災状態の管理を行う管理手段をさらに備える。
【発明の効果】
【００１２】
この発明は、集合住宅の所定階超の住戸に設けられた火災感知器、警報手段、火災受信機及び住戸に設置された住宅情報盤を有するインターホンシステムを有する既存の設備に対し、所定階以下の住戸の住宅情報盤の移報入力部に、移報信号線を介して、中継器を接続するだけの簡便な配線工事のみで、集合住宅のすべての住戸において、火災を報知できるシステムを構築することができ、また、住戸内の火災状況を住宅情報盤で集中管理等することができる火災報知システムを得ることができる。
【００１３】
また、住宅情報盤は、移報信号を出力する移報出力部を有し、また、各住宅情報盤と接続され、各住宅情報盤の移報出力部からの移報信号を入力して移報状態を表示する集中表示器を例えば管理室に設置するようにしたので、各住戸（火災警報器と中継器とを設置した住戸）の火災状況を、既存又は新設の集中表示器で集中管理することができる。
【００１４】
また、集中表示器が、火災受信機からの移報出力信号に基づいて移報状態を表示するようにしたので、既存の火災報知システムを含む、集合住宅全体の火災状況を表示等することができる。
【００１５】
また、ドアホンから警報に係る音を発生させるようにしたので、住戸外にも報知することができる。
【００１６】
また、火災受信機は、火災信号に基づいて移報出力信号を出力する移報出力部を有し、火災受信機からの移報出力信号及び住宅情報盤の受信に係る移報信号に基づいて火災状態の管理を行う管理手段を、例えば管理室に設置するようにしたので、既存の火災報知システムを含む、集合住宅全体の火災状況を表示等することができる。ここで、管理手段は、所定階以下の住宅情報盤と火災受信機とに通信接続される構成とすることもできるし、集中表示器と火災受信機とに通信接続される構成とすることもできる。
【図面の簡単な説明】
【００１７】
【図１】本発明の実施の形態１に係る火災報知システム５００を示す構成図。
【図２】ドアホン１０と住宅情報盤２０と集中表示器３０とを示すブロック図。
【図３】火災警報器４０を示すブロック図。
【図４】中継器５０を示すブロック図。
【発明を実施するための形態】
【００１８】
実施の形態１．
本発明の実施の形態を図１乃至図４により説明する。図１は本発明の実施の形態１に係る火災報知システム５００を示す図、図２は図１のドアホン１０と住宅情報盤２０と集中表示器３０とを示すブロック図、図３は図１の火災警報器４０を示すブロック図、図４は図１の中継器５０を示すブロック図である。
【００１９】
図１は、本発明の実施の形態１に係る火災報知システム５００を示す構成図である。本実施の形態における火災報知システム５００は、インターホンシステム１００、火災感知器２００、警報手段（報知手段）となるスピーカ（地区ベル）３００及び火災受信機４００で構成する。ここで、火災感知器２００、スピーカ３００及び火災受信機４００は既存の機器であってもよい。
【００２０】
火災感知器２００は、例えば集合住宅となる建物の所定階超（ここでは４９号通知により自動火災報知設備が設けられているか否かの境界となる１０階超（１１階以上）とする）の各住戸に設けられており、火災を感知（検出）すると火災信号を火災受信機４００に送信する。スピーカ３００は、例えば所定階超の各階における廊下等の共有空間に設けられており、火災受信機４００からの警報信号に基づいて音を発生させて警報を行う。ここで、図１では火災感知器２００、スピーカ３００を各階にそれぞれ１台ずつ図示しているが、複数台設けるようにしてもよい。また、スピーカ３００は、所定階超だけではなく、例えば所定階以下も同様に設けられてもよい。
【００２１】
火災受信機４００は、火災用信号線Ｌ５を介して火災感知器２００から火災信号を受信すると、火災警報を行わせるスピーカ３００を決定する。決定方法については特に限定するものではない。例えば、火災の発生場所を特定しやすくするために火災が発生した階とその直上階のスピーカ３００に決定する等してもよい。また、すべてのスピーカ３００から音を発生させるようにしてもよい。そして、火災受信機４００は決定に係るスピーカ３００に警報を行わせるための警報信号を送信する。警報信号については、例えば音（音声）のデータを含む信号、スピーカ３００に所定の音を発生させるための指示のデータを含む信号等、その種類を問わない。さらに、火災受信機４００は、火災信号に基づいて移報出力信号を出力する移報出力部（不図示）を有し、移報出力信号線Ｌ６を介して集中表示器３０に移報出力信号を送信する。移報出力信号に関しては、特に内容を規定するものではないが、例えば、火災が発生した住戸、階等に関するデータを含む信号を送信する。
【００２２】
ここで、本実施の形態では、火災感知器２００及びスピーカ３００と火災受信機４００とを火災用信号線Ｌ５で接続しているが、火災感知器２００とスピーカ３００とを別々の信号線で接続するようにしてもよい。また、スピーカ３００だけでなく、表示等を行う他の警報手段（報知手段）と併せて警報を行うようにしてもよい。また、火災受信機４００は、伝送信号によって火災感知器２００及びスピーカ３００を監視制御するＲ型の受信機で構成しているが、接点信号（オンオフ信号）によって火災感知器２００及びスピーカ３００を監視制御するＰ型の受信機で構成してもよい。
【００２３】
インターホンシステム１００は、例えば集合住宅に設置され、各住戸の玄関先に設置されたドアホン１０と、各住戸内に設置された住宅情報盤２０と、例えば管理人室に設置された集中表示器３０とを有する。ここで、本実施の形態のインターホンシステム１００においては、所定階超においてもドアホン１０及び住宅情報盤２０が設置されているが、図１では所定階以下に係るドアホン１０及び住宅情報盤２０について示すものとする。
【００２４】
各住戸において、ドアホン１０と住宅情報盤２０とは、電源兼通話線Ｌ及び表示灯線Ｌ１によって接続されている。また、各住戸の住宅情報盤２０と集中表示器３０とは、個別の非常通報線Ｌ３によって接続されている。ここで、単一の非常通報線Ｌ３で接続してもよい。
【００２５】
さらに、インターホンシステム１００において、所定階以下の住宅情報盤２０には、火災警報用中継器５０（以下、中継器５０という）が移報信号線Ｌ４によって接続される。中継器５０は、住戸内に設置された例えば無線式連動型の火災警報器４０と無線によって通信接続される。
【００２６】
ここで、図１では特に示していないが、例えば１０階以下の住戸内には、複数の火災警報器４０（例えば、親機１台と子機３台）が設置されているものとする。なお、火災警報器４０と中継器５０とによる警報器グループは、少なくとも一つの住戸内に設置されていればよく、全ての住戸内に設置されていなくてもよい。
【００２７】
図２は、図１のドアホン１０と住宅情報盤２０と集中表示器３０とを示すブロック図である。
【００２８】
ドアホン１０は、呼出釦１１と、呼出回路１２と、通話回路１３と、電源回路１４と、表示灯１５と、マイクＭＣ１と、スピーカＳＰ１とを有する。
【００２９】
呼出回路１２は、ドアホン１０の呼出釦１１が押されたことを検出し、この検出によって、電源兼通話線Ｌの電圧をたとえば５Ｖから２Ｖに低下させることによって、呼出信号を住宅情報盤２０に出力する。通話回路１３は、住宅情報盤２０の通話回路２５と通話する回路である。電源回路１４は、呼出回路１２や通話回路１３などに安定電圧を供給するための回路である。
【００３０】
表示灯１５は、住宅情報盤２０の移報入力部２７に移報信号が入力されているときに、住宅情報盤２０の制御回路２１の制御によって、点灯するものである。ここでは表示灯１５により表示するようにしているが、例えば液晶表示装置等の表示手段を用いて、文字、数字等を表示させるようにしてもよい。
【００３１】
住宅情報盤２０は、制御回路２１と、呼出検出回路２２と、呼出音発生回路２３と、操作手段２４と、通話回路２５と、音声出力回路２６と、移報入力部２７と、移報出力部２８と、表示部２９と、マイクＭＣ２と、スピーカＳＰ２と、通話用スイッチＳＷ１と、電源供給回路ＰＳ１とを有する。
【００３２】
電源供給回路ＰＳ１は、制御回路２１などに安定電圧を供給するための回路である。制御回路２１は、住宅情報盤２０の全体を制御する。呼出検出回路２２は、電源兼通話線Ｌの電圧がたとえば５Ｖから２Ｖに低下することによってドアホン１０からの呼出信号を検出する。呼出音発生回路２３は、ドアホン１０の呼出ボタン１１が押されると、スピーカＳＰ２から「ピンポン」等の呼出音を発生させる回路である。操作手段２４は、図示しない通話釦等のキーを具備する。
【００３３】
通話回路２５は、ドアホン１０の通話回路１３と通話する回路である。音声出力回路２６は、「移報信号が入力しました」等の音声メッセージを記憶し、移報入力部２７が移報信号を入力したときに、制御回路２１の制御によって、通話回路２５を介して通話信号を出力し、この音声メッセージをスピーカＳＰ２から出力させる。また、この音声メッセージは、制御回路２１の制御によって、通話回路１３を介して、ドアホン１０のスピーカＳＰ１から出力される。
【００３４】
通話用スイッチＳＷ１は、ドアホン１０の呼出釦１１が押され、その後、操作手段２４の通話釦が押されると、制御回路２１によってオンされ、ドアホン１０の通話回路１３と住宅情報盤２０の通話回路２５とを接続して、インターホン通話を可能にする。
【００３５】
移報入力部２７は、移報信号線Ｌ４を介して、中継器５０からの移報信号の入力状態を検出し、移報信号が入力されたときに、移報信号を制御回路２１に出力する。
【００３６】
移報出力部２８は、制御回路２１に移報信号が入力されているときに、制御回路２１の制御によって、非常通報線Ｌ３を介して、移報信号を集中表示器３０に出力する。
【００３７】
表示部２９は、移報入力部２７が移報信号を入力したときに、制御回路２１の制御によって、移報状態を表示する。
【００３８】
集中表示器３０は、制御回路３１と、移報入力部３２と、表示部３３とを有する。本実施の形態では、特にインターホンシステム１００の住宅情報盤２０、火災受信機４００の両方からの信号により、所定階超であるか以下であるかに関わらず、集合住宅における火災状態の集中管理を行う管理手段として機能する。集中表示器３０は、既設であってもよいし、新設であってもよい。
【００３９】
制御回路３１は、集中表示器３０の全体を制御する。移報入力部３２は、非常通報線Ｌ３を介して、住宅情報盤２０からの移報信号の入力状態を検出し、移報信号が入力されたときに、移報信号を制御回路３１に出力する。また、移報出力信号線Ｌ６を介して火災受信機４００から送信される移報出力信号を制御回路３１に出力する。表示部３３は、制御回路３１に移報信号及び移報出力信号が入力されているときに、制御回路３１の制御によって、各住戸における移報状態を表示する。
【００４０】
図３は、図１の火災警報器４０を示すブロック図である。火災警報器４０は、制御回路４１と、電池４２と、電源回路４３と、送受信回路４５と、アンテナ４６と、火災検出回路４７と、警報音制御回路４８と、表示灯回路４９とを有する。
【００４１】
電池４２は、電源回路４３に直流電源を供給する。電源回路４３は、電池４２の電圧を所定電圧に制御し、制御回路４１、送受信回路４５、火災検出回路４７、警報音制御回路４８、表示灯回路４９に供給する。
【００４２】
火災検出回路４７は、火災現象に基づく煙または熱等の検知対象物物理量または物理的変化を検出して、検出内容に応じた信号を制御回路４１に出力する。警報音制御回路４８は、ブザー・スピーカ等による音声または音響鳴動動作を制御する回路である。表示灯回路４９は、発光ダイオード等の表示灯の点灯動作を制御する回路である。
【００４３】
送受信回路４５は、無線信号を送受信するためのアンテナ４６に接続されており、受信回路の動作として、所定周期で受信サンプリング動作を行ってアンテナ４６から入力された無線信号を検出して受信処理を行う。受信処理した信号は、制御回路４１へ出力する。また、送信回路の動作として、制御回路４１に制御されて、後述する連動制御信号、などの送信処理を行う。
【００４４】
制御回路４１は、火災警報器４０全体を制御する。制御回路４１は、火災検出回路４７によって出力された信号に基づいて火災状態等を判別する機能を有し、送受信回路４５が受信した信号に基づいて必要な処理を行うとともに、他の火災警報器４０、中継器５０から連動制御信号を受信したときには、送受信回路４５を制御して他の火災警報器４０、中継器５０に連動制御信号を送信する、連動制御信号の中継機能を有する。
【００４５】
また、火災状態であると判別した場合には、警報音制御回路４８及び表示灯回路４９を制御して音声及び表示灯によって火災警報を行うとともに、送受信回路４５を制御して他の火災警報器４０、中継器５０に対して、連動制御信号を送信する。
【００４６】
ここで、上記連動制御信号とは、火災を検出したことを他の火災警報器４０、中継器５０に伝えて、他の火災警報器４０、中継器５０からも火災警報（連動警報）を出力させるための信号である。
【００４７】
なお、制御回路４１は、ＥＥＰＲＯＭなどの不揮発性メモリを内部に有し、制御回路４１が実行するプログラムや各種データを格納している。データの一例としては、設置環境（例えば集合住宅内）で各火災警報器４０、中継器５０自身に固有のアドレスである自己アドレスを格納している。
【００４８】
図４は、図１の中継器５０を示すブロック図である。中継器５０は、火災警報器４０における制御回路４１、電池４２、電源回路４３、送受信回路４５、アンテナ４６、警報音制御回路４８、表示灯回路４９と同様の機能である制御回路５１と、電池５２と、電源回路５３と、送受信回路５５と、アンテナ５６と、警報音制御回路５８と、表示灯回路５９とを有する。そして、火災警報器４０との相違点として、中継器５０は、火災検出回路４７がない一方、移報出力部５７が追加されている。移報出力部５７には、移報信号線Ｌ４が接続されている。
【００４９】
移報出力部５７は、送受信回路５５が連動制御信号を受信したときに、制御回路５１の制御によって、移報信号を移報信号線Ｌ４から有線出力する。
【００５０】
次に、火災警報器１０と連携したインターホンシステム１００の動作について説明する。
【００５１】
図１において、例えば１０階の住戸内で火災が発生すると、火元付近の火災警報器４０は、火災検出回路４７によって出力された信号に基づいて、制御回路４１が火災と判断する。そして、警報音制御回路４８及び表示灯回路４９を制御して音声及び表示灯によって火災警報を行うとともに、送受信回路４５を制御して、同じ住戸内の他の火災警報器４０、中継器５０に対して、連動制御信号を送信する。
【００５２】
他の火災警報器４０は、送受信回路４５によって連動制御信号が受信されると、制御回路４１が他の火災警報器４０で火災が検出されたと判別する。そして、警報音制御回路４８及び表示灯回路４９を制御して音声及び表示灯によって連動警報を行う。連動警報としては、警報音の鳴動および表示灯の発光を、火災警報とは異ならせているが、同様としてもよい。また、制御回路４１は、送受信回路４５を制御して他の火災警報器４０、中継器５０に対して、連動制御信号を送信する。このように、連動制御信号を中継することによって、火災を検出した火元付近の火災警報器４０からの設置距離が遠く、火災を検出した火元付近の火災警報器４０からの連動制御信号を受信できない火災警報器４０が存在したとしても、確実に連動制御信号を受信させることができる。
【００５３】
一方、中継器５０も他の火災警報器４０と同様に上記動作を行う。つまり、中継器５０は、送受信回路５５によって連動制御信号が受信されると、制御回路５１が火災警報器４０で火災が検出されたと判別する。そして、警報音制御回路５８及び表示灯回路５９を制御して音声及び表示灯によって連動警報を行う。また、制御回路５１は、送受信回路５５を制御して他の火災警報器４０に対して、連動制御信号を送信する。
【００５４】
さらに、中継器５０は、送受信回路５５によって連動制御信号が受信されると、制御回路５１によって、移報信号線Ｌ４を介して、移報出力部５７から移報信号を出力する。
【００５５】
住宅情報盤２０の移報入力部２７は、移報信号線Ｌ４を介して、移報信号を入力すると、制御回路２１に移報信号を出力する。制御回路２１は、移報信号が入力されると、非常通報線Ｌ３を介して、移報出力部２８から移報信号を集中表示器３０に出力する。
【００５６】
また、制御回路２１は、音声出力回路２６の音声出力制御を行って、スピーカＳＰ２から「移報信号が入力しました」等の音声メッセージを出力させる。これによって、住戸内の火災状況を住宅情報盤２０で集中管理することができる。
【００５７】
このとき、制御回路２１は、通話用スイッチＳＷ１もオンすることによって、ドアホン１０の通話回路１３と住宅情報盤２０の通話回路２５とを互いに接続し、ドアホン１０のスピーカＳＰ１から「移報信号が入力しました」等の音声メッセージを出力させる。制御回路２１は、表示灯線Ｌ１を介して、ドアホン１０の表示灯１５も点灯させる。これによって、住戸内の火災状況を住戸外に知らしめることができる。なお、制御回路２１は、音声メッセージを出力させた後は、通話用スイッチＳＷ１を元の状態に戻すように制御する。
【００５８】
集中表示器３０の移報入力部３２は、非常通報線Ｌ３を介して、移報信号を入力すると、制御回路３１に移報信号を出力する。制御回路３１は、移報信号が入力されると、移報入力状態を表示部３３に表示させる。このとき、例えば階ごとに個別の非常通報線Ｌ３に対応させて、各住戸における移報入力状態を区別して表示する。これによって、所定階以下の各住戸の火災状況を、例えば既存の集中表示器３０で集中管理することができる。
【００５９】
ここで、火災の拡大によって、例えば１１階の住戸内でも火災が発生したとすると、火災受信機４００は、火災用信号線Ｌ５を介して、１１階の火災感知器２００からの火災信号を受信する。そして、火災受信機４００は、移報出力部（不図示）から、当該火災信号に基づいて移報出力信号を出力する。これによって、集中表示器３０においては、移報出力信号線Ｌ６を介して移報入力部３２に入力される移報出力信号に基づいて、制御回路３１は、移報状態を表示部３３に表示させる。ここで、所定階超における火災状況の管理を集中表示器３０においてどの程度できるかについては、例えば、火災受信機４００における火災信号の処理能力等による。例えば、火災感知器２００からの火災信号に基づいて、所定階超の各住戸における移報入力状態まで処理し、移報出力信号に含めることができれば、所定階以下における火災状況と同等の管理を行うことができる。
【００６０】
以上の通り、この実施の形態１では、所定階超に設けた火災感知器２００、スピーカ３００及び火災受信機４００とともに火災報知システム５００を構成しようとするときに、所定階以下の住戸内に火災警報器４０と中継器５０とを設置し、従来から備えられているインターホンシステム１００における住宅情報盤２０の移報入力部２７に、中継器５０を接続するだけで、火災報知システムを構成することができる。
【００６１】
また、集中表示器３０を備え、所定階以下の住戸の住宅情報盤２０からの移報信号に基づいて、火災警報器４０と中継器５０とを設置した住戸の火災状況を集中管理することができる。そして、このとき所定階以下の住戸における住宅情報盤２０からの移報信号だけでなく、所定階超の火災感知器２００からの火災信号を受信した火災受信機４００からの移報出力信号に基づいて、火災状況の表示等を行うようにしたので、既存のシステムを含む、集合住宅全体の火災状況の集中管理を、集中表示器３０において行うことができる。
【００６２】
また、ドアホン１０から警報に係る音を発生させるようにしたので、住戸外にも報知することができる。
【００６３】
実施の形態２．
上述の実施の形態１においては、集中表示器３０が集合住宅（建物）全体の火災状況の集中管理を行うようにしているが、例えば集中表示器３０が火災受信機４００に住宅情報盤２０からの移報信号を送信することで、火災受信機４００が集中管理を行うようにしてもよい。また、集中表示器３０、火災受信機４００とは異なる別の機器（管理手段）に集中管理を行わせるようにしてもよい。ここで、管理手段は、移報出力信号線Ｌ６を介して、火災受信機４００と通信接続される一方、非常通報線Ｌ３を介して、所定階以下の住宅情報盤２０と通信接続されるか、または集中表示器３０に移報出力部（不図示）が設けられている場合は、新規の移報出力信号線（例えば、増設移報出力信号線）を介して、当該集中表示器３０の移報出力部（不図示）と通信接続される。
【符号の説明】
【００６４】
１０  ドアホン、１１  呼出釦、１２  呼出回路、１３  通話回路、１４  電源回路、１５  表示灯、２０  住宅情報盤、２１  制御回路、２２  呼出検出回路、２３  呼出音発生回路、２４  操作手段、２５  通話回路、２６  音声出力回路、２７  移報入力部、２８  移報出力部、２９  表示部、３０  集中表示器、３１  制御回路、３２  移報入力部、３３  表示部、４０  火災警報器、４１  制御回路、４２  電池、４３  電源回路、４５  送受信回路、４６  アンテナ、４７  火災検出回路、４８  警報音制御回路、４９  表示灯回路、５０  中継器、５１  制御回路、５２  電池、５３  電源回路、５５  送受信回路、５６  アンテナ、５７  移報出力部、５８  警報音制御回路、５９  表示灯回路、１００  インターホンシステム、２００  火災感知器、３００  スピーカ、４００  火災受信機、５００  火災報知システム、ＳＰ１  スピーカ、ＭＣ１  マイク、ＳＰ２  スピーカ、ＭＣ２  マイク、ＰＳ１  電源供給回路、ＳＷ１  通話用スイッチ、Ｌ  電源兼信号線、Ｌ１  表示灯線、Ｌ３  非常通報線、Ｌ４  移報信号線、Ｌ５  火災用信号線、Ｌ６  移報出力信号線。
【図１】
2011198043.tif 000003
【図２】
2011198043.tif 000004
【図３】
2011198043.tif 000005
【図４】
2011198043.tif 000006